(57)【特許請求の範囲】
【請求項１】
枠体に対して屋内外方向に回動自在に支持される面材の開放移動を規制して閉鎖状態を維持する閉鎖維持装置であって、
前記枠体を構成する枠材に対して着脱自在に設けられる規制部材と、前記面材に設けられて前記規制部材に係止される被係止部とを備え、
前記規制部材は、見付け方向に延びる規制面部と、この規制面部の見付け方向内端縁から見込み方向屋外側に延びる延出面部と、この延出面部の屋外側端縁から見付け方向外側に折れ曲がる折曲面部と、この折曲面部の見付け方向外端縁から見込み方向屋外側に延びて前記被係止部を係止可能な係止面部とを有して形成され、
前記枠材は、見込み方向に沿った枠見込み面部と、この枠見込み面部から見付け方向内側に延びる枠見付け面部とを有し、前記面材は、閉鎖状態において、前記枠見込み面部に対向する面材見込み面部と、前記枠見付け面部に屋外側から対向する面材見付け面部とを有しており、
前記規制部材の規制面部には、前記枠見付け面部の屋内側面に当接可能な緩衝材が設けられ、前記延出面部には、前記枠見付け面部の見付け方向内側の端面に当接可能な緩衝材が設けられ、
前記被係止部は、前記面材見込み面部に見付け方向外側から螺合可能であって当該見付け方向外側に突出した状態で固定される段付ビスで構成され、
前記係止面部には、見込み方向および見付け方向の二方向に略直交して開口するとともに前記段付ビスの段付部を受け入れ可能な係止溝が形成され、
前記係止溝は、前記係止面部の下端縁に開口するとともに互いに下向きに離れる側に拡がって傾斜する一対の傾斜面と、前記一対の傾斜面から前記係止面部の上方に延びる一対の案内面と、前記一対の案内面の上部側にて前記段付ビスの段付部を係止可能な係止部とを有して形成され、前記一対の案内面間距離は、前記段付部の径寸法よりも大きく形成され、
前記面材を閉鎖状態としてから、前記規制部材を前記枠材の長手方向に沿って移動させ、前記段付ビスの段付部を前記係止溝の前記一対の案内面間に挿通して前記係止部に位置させることによって係止することで、当該面材の見込み方向屋外側への回動を規制可能に構成される閉鎖維持装置。
【請求項２】
枠体と、この枠体に対して屋内外方向に回動自在に支持される面材と、請求項１に記載の閉鎖維持装置とを備えた建具であって、
前記面材の開放状態において、前記枠体の見付け方向内側から前記規制面部を前記枠見付け面部の屋内側面に沿わせつつ屋外側に前記折曲面部を位置させ、当該規制面部と折曲面部とで前記枠見付け面部を挟んで前記規制部材が前記枠材に取り付けられ、
前記面材の閉鎖状態において、前記枠材の長手方向に沿って前記規制部材が移動させ、前記係止溝に受け入れた前記被係止部が係止されることで、当該面材の見込み方向屋外側への回動が規制される建具。
【請求項３】
前記枠見付け面部の見込み方向屋外側に前記気密材が設けられて前記面材見付け面部と当接可能に構成され、
前記規制部材は、前記規制面部と折曲面部とで前記枠見付け面部および気密材を挟み込み、前記折曲面部が当接する前記気密材の反発力によって前記枠材に保持され、前記折曲面部の屋外側面と前記面材見付け面部の屋内側面とが隙間を介して対向して設けられる請求項２に記載の建具。
【発明の詳細な説明】
【技術分野】
【０００１】
本発明は、枠体に開閉自在に支持された面材の開放移動を規制して閉鎖状態を維持する閉鎖維持装置、この閉鎖維持装置を有した建具に関する。
【背景技術】
【０００２】
従来、枠体に面材が回動開閉自在に支持された外倒し窓等の建具において、工場にて枠体に面材を組み込んでから建設現場にて開閉操作用部品（オペレータ等）を取り付けるまでの間、枠体に対する面材の開放移動を規制して閉鎖状態を維持する閉鎖維持装置が提案されている（例えば、特許文献１参照）。
特許文献１に記載の閉鎖維持装置は、枠体の上枠に係止される係止部片を有した主体枠と、この主体枠の屋外側に形成された支持部片に係合する閉止枠とを備え、主体枠の係止部片を上枠の屋内側の戸当り部片に係止させるとともに屋外側に支持部片を突出させた状態で面材を閉じ、屋外側から支持部片に閉止枠を係合させることで、閉止枠を面材の屋外面に当接させて面材の開放移動を規制するように構成されている。
【先行技術文献】
【特許文献】
【０００３】
【特許文献１】特許第４５４１９８２号公報
【発明の概要】
【発明が解決しようとする課題】
【０００４】
しかしながら、特許文献１に記載されたような従来の閉鎖維持装置では、主体枠が上枠の屋内側に係止され閉止枠が面材の屋外側に位置しているため、工場等にて主体枠に閉止枠を係合させる際に建具の屋内外両側で取付作業を行う必要があり、さらに建設現場にて開閉操作用部品等を取り付けた後に閉鎖維持装置を取り外すためには、閉止枠の係合解除作業を屋外空間で行う必要がある。また、屋外で閉止枠を主体枠から取り外した後に、作業者が屋内空間に移動するか他の作業者が主体枠を保持した状態で面材を開放してから、主体枠を上枠から取り外さなければならない。以上のように、従来の閉鎖維持装置では、取付作業および取外作業の両方が煩雑であるとともに作業時間を要することから、作業効率が著しく低下してしまうという問題がある。
【０００５】
本発明の目的は、取り付けおよび取り外しの作業効率を向上させることができる閉鎖維持装置および建具を提供することにある。
【課題を解決するための手段】
【０００６】
本発明の閉鎖維持装置は、枠体に対して屋内外方向に回動自在に支持される面材の開放移動を規制して閉鎖状態を維持する閉鎖維持装置であって、前記枠体を構成する枠材に対して着脱自在に設けられる規制部材と、前記面材に設けられて前記規制部材に係止される被係止部とを備え、前記規制部材は、見付け方向に延びる規制面部と、この規制面部の見付け方向内端縁から見込み方向屋外側に延びる延出面部と、この延出面部の屋外側端縁から見付け方向外側に折れ曲がる折曲面部と、この折曲面部の見付け方向外端縁から見込み方向屋外側に延びて前記被係止部を係止可能な係止面部とを有して形成され、前記枠材は、見込み方向に沿った枠見込み面部と、この枠見込み面部から見付け方向内側に延びる枠見付け面部とを有し、前記面材は、閉鎖状態において、前記枠見込み面部に対向する面材見込み面部と、前記枠見付け面部に屋外側から対向する面材見付け面部とを有しており、前記規制部材の規制面部には、前記枠見付け面部の屋内側面に当接可能な緩衝材が設けられ、前記延出面部には、前記枠見付け面部の見付け方向内側の端面に当接可能な緩衝材が設けられ、前記被係止部は、前記面材見込み面部に見付け方向外側から螺合可能であって当該見付け方向外側に突出した状態で固定される段付きビスで構成され、前記係止面部には、見込み方向および見付け方向の二方向に略直交して開口するとともに前記段付きビスの段付部を受け入れ可能な係止溝が形成され、前記係止溝は、前記係止面部の下端縁に開口するとともに互いに下向きに離れる側に拡がって傾斜する一対の傾斜面と、前記一対の傾斜面から前記係止面部の上方に延びる一対の案内面と、前記一対の案内面の上部側にて前記段付ビスの段付部を係止可能な係止部とを有して形成され、前記一対の案内面間距離は、前記段付部の径寸法よりも大きく形成され、前記面材を閉鎖状態としてから、前記規制部材を前記枠材の長手方向に沿って移動させ、前記段付ビスの段付部を前記係止溝の前記一対の案内面間に挿通して前記係止部に位置させることによって係止することで、当該面材の見込み方向屋外側への回動を規制可能に構成されることを特徴とする。
【０００７】
このような本発明によれば、面材の開放状態で規制部材を枠材に取り付け、面材を閉鎖状態としてから枠材の長手方向に沿って規制部材を移動させ、その係止溝に被係止部を受け入れて係止するだけで面材の開放移動を規制することができる。また、規制を解除する際には、前述と逆向きに規制部材を移動させて被係止部を係止溝から外すだけで、面材が開放可能となり、面材を開放して枠材から規制部材を取り外せばよい。従って、枠体の見込み方向屋内側から規制部材の取り付け作業および取外し作業の両作業を実施することができ、作業効率を飛躍的に向上させることができる。
【０００８】
また、このような本発明によれば、規制部材の規制面部および延出面部に緩衝材を設けて枠見付け面部に当接させることで、枠見付け面部への傷付きを防止するとともに、規制状態における面材の振動による音鳴りを防止することができる。
【０００９】
さらに、このような本発明によれば、被係止部を段付ビスで構成することで、この段付ビスの螺合位置を適宜に設定することができ、面材見込み面部に形成した突起等で被係止部を構成する場合よりも安価にできるとともに、建具の種別やサイズに関わらずに共通の規制部材を用いることができる。
【００１０】
一方、本発明の建具は、枠体と、この枠体に対して屋内外方向に回動自在に支持される面材と、前述した本発明の閉鎖維持装置とを備えた建具であって、前記面材の開放状態において、前記枠体の見付け方向内側から前記規制面部を前記枠見付け面部の屋内側面に沿わせつつ屋外側に前記折曲面部を位置させ、当該規制面部と折曲面部とで前記枠見付け面部を挟んで前記規制部材が前記枠材に取り付けられ、前記面材の閉鎖状態において、前記枠材の長手方向に沿って前記規制部材が移動させ、前記係止溝に受け入れた前記被係止部が係止されることで、当該面材の見込み方向屋外側への回動が規制されることを特徴とする。
【００１１】
ここで、本発明の建具において、枠体に対する面材の開放形式は特に限定されず、外開き形式や外倒し形式、突き出し形式などが利用できる。
このような本発明によれば、前述の閉鎖維持装置と略同様の効果、すなわち、枠体の見込み方向屋内側から規制部材の取り付け作業および取外し作業の両作業を実施して、作業効率を飛躍的に向上させることができる。
【００１２】
この際、本発明の建具では、前記枠見付け面部の見込み方向屋外側に前記気密材が設けられて前記面材見付け面部と当接可能に構成され、前記規制部材は、前記規制面部と折曲面部とで前記枠見付け面部および気密材を挟み込み、前記折曲面部が当接する前記気密材の反発力によって前記枠材に保持され、前記折曲面部の屋外側面と前記面材見付け面部の屋内側面とが隙間を介して対向して設けられることが好ましい。
このような構成によれば、規制部材の規制面部と折曲面部とで枠見付け面部および気密材を挟み込み、気密材の反発力によって枠材に規制部材が保持されることで、取り付けや取り外しの際に規制部材が脱落することがなく、作業者が保持しておく必要がないことから、作業効率をさらに向上させることができる。また、規制部材を取り付けた状態において折曲面部と面材見付け面部との隙間が形成されることで、面材見付け面部への傷付きや音鳴りを防止することができる。
【図面の簡単な説明】
【００１３】
【図１】本発明の第１実施形態に係る建具を示す正面図である。
【図２】前記建具の一部を断面して示す横断面図である。
【図３】前記建具における閉鎖維持装置の取付手順を示す横断面図である。
【図４】図３に続く前記閉鎖維持装置の取付手順を示す斜視図である。
【図５】本発明の第２実施形態に係る建具を示す正面図である。
【図６】前記建具の一部を断面して示す縦断面図である。
【発明を実施するための形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１および図２において、本実施形態の建具としての外倒し窓１は、建物開口部に設けられる枠体としての窓枠２と、この窓枠２で囲まれた内部に開閉自在に支持される面材としての障子１０とを有して構成されている。窓枠２は、それぞれアルミ形材製の上枠３、下枠４および左右の縦枠５を四周枠組みして構成されている。障子１０は、上框１１、下框１２および左右の縦框１３を四周框組みした内部に、ガラスパネル１４を嵌め込んで構成され、下框１２または縦框１３の下部が丁番やリンク機構を介して下枠４または縦枠５に支持され、当該障子１０の上部が見込み方向屋外側（図２の上側）に回動して開放され、窓枠２に向かって見込み方向屋内側（図２の下側）に回動して閉鎖されるようになっている。この外倒し窓１には、障子１０の上部において左右の縦框１３をそれぞれ左右の縦枠５に係止して開放移動を規制し、障子１０の閉鎖状態を維持する閉鎖維持装置２０が設けられている。
【００１６】
図２に示すように、縦枠（枠材）５は、見込み方向に沿った枠見込み面部５１と、この枠見込み面部５１から見付け方向内側（図２の右側）に延びる枠見付け面部５２とを有して形成され、枠見付け面部５２の先端部屋外側に形成された気密材保持部５３には、障子１０の縦框１３に当接可能な気密材５Ａが保持されている。一方、縦框１３は、アルミ形材製の縦框本体１３Ａと、この縦框本体１３Ａに係合してガラスパネル１４を保持する押縁１３Ｂとを有し、縦框本体１３Ａは、障子１０の閉鎖状態において、枠見込み面部５１の見付け方向内側に対向する面材見込み面部１３１と、気密材５Ａに当接して枠見付け面部５２に屋外側から対向する面材見付け面部１３２とを有して形成されている。
【００１７】
閉鎖維持装置２０は、図３、図４にも示すように、縦枠５の枠見付け面部５２に着脱自在に設けられる規制部材２０Ａと、障子１０の縦框１３に設けられて規制部材２０Ａに係止される被係止部としての段付ビス２０Ｂとを備えて構成されている。この閉鎖維持装置２０は、工場等で窓枠２に回動自在に障子１０を組み込んだ外倒し窓１を建設現場に搬送して開口部に建て込んでからオペレータ等の開閉操作部品を取り付けるまでの間、すなわち、窓枠２に対して回動が規制されない間における障子１０の閉鎖状態を維持するためのものであって、建設現場で開閉操作部品が取り付けられて障子１０の開閉操作が可能になった後、閉鎖維持装置２０の少なくとも規制部材２０Ａが外倒し窓１から取り外されるようになっている。
【００１８】
規制部材２０Ａは、金属製（鋼製）の板材から折り曲げ加工によって一体成形され、枠見付け面部５２の屋内側に沿って見付け方向に延びる規制面部２１と、この規制面部２１の見付け方向内端縁から見込み方向屋外側に延びる延出面部２２と、この延出面部２２の屋外側端縁から見付け方向外側（枠見込み面部５１に近づく側）に折れ曲がる折曲面部２３と、この折曲面部２３の見付け方向外端縁から見込み方向屋外側に延びて面材見込み面部１３１に沿う係止面部２４とを有して形成されている。規制面部２１および延出面部２２における枠見付け面部５２側の面には、ゴム等の軟質な材料からなる緩衝材２０Ｃが接着されており、この緩衝材２０Ｃが枠見付け面部５２の屋内面および見付け方向内端面に当接可能に構成されている。係止面部２４には、図４にも示すように、その延出方向に沿った下端縁２４１から延出方向と交差する方向（上下方向であり、縦枠５および縦框１３の長手方向）に向かって切り欠かれた、すなわち見込み方向および見付け方向の二方向に略直交して開口する係止溝２５が形成され、この係止溝２５によって段付ビス２０Ｂを係止可能に構成されている。
【００１９】
段付ビス２０Ｂは、頭部２６と、この頭部２６よりも径小かつ係止溝２５に挿通可能な段付部２７と、段付部２７から延びるねじ部２８とを有し、ねじ部２８を見付け方向外側から内側に向かって面材見込み面部１３１に螺合することで、頭部２６および段付部２７を見付け方向外側に突出させた状態で面材見込み面部１３１に固定されている。一方、係止溝２５は、係止面部２４の下端縁２４１に開口するとともに互いに開口方向下向きに離れる側に拡がって傾斜する一対の傾斜面２５１と、これらの傾斜面２５１から係止面部２４の上方に延びる一対の案内面２５２と、これら一対の案内面２５２の上部側にて段付ビス２０Ｂの段付部２７を係止可能な係止部２５３とを有して形成されている。一対の案内面２５２間距離は、段付部２７の径寸法よりも若干大きく形成され、これらの案内面２５２間に挿通された段付部２７が係止部２５３に位置することで係止溝２５に係止されるようになっている。
【００２０】
以上の閉鎖維持装置２０は、図３および図４に示す手順で外倒し窓１に取り付けられて障子１０の閉鎖状態を維持する。
先ず、窓枠２に組み込んだ障子１０の面材見込み面部１３１に段付ビス２０Ｂを固定しておき、障子１０を開放した状態において、図３(Ａ)に示すように、縦枠５の枠見付け面部５２に対し、屋内側の見付け方向内側から規制部材２０Ａを取り付ける。この際、規制面部２１の緩衝材２０Ｃを枠見付け面部５２の屋内面に摺接させつつ、延出面部２２の緩衝材２０Ｃが枠見付け面部５２の先端に当接するまで規制部材２０Ａを押し込み、折曲面部２３を気密材５Ａに圧接させることで、この気密材５Ａの弾性変形による付勢力を生じさせ、規制面部２１と折曲面部２３とで枠見付け面部５２および気密材５Ａを挟み込む。これにより、作業者が手を離しても規制部材２０Ａが落下することなく縦枠５への取付状態が保持されるようになっている。
【００２１】
次に、取り付けた規制部材２０Ａを縦枠５の上端側に押し上げる等により段付ビス２０Ｂを避けた位置に保持しておき、図３(Ｂ)に示すように、障子１０を閉鎖方向に回動すると、係止面部２４が面材見付け面部１３２に沿って位置することになる。この際、縦框１３の面材見付け面部１３２が折曲面部２３に当接しないように、障子１０を完全に閉鎖位置まで回動せずに、面材見付け面部１３２と折曲面部２３とに隙間が形成される位置で障子１０の閉鎖操作を停止して保持する。なお、折曲面部２３の屋外側面に緩衝材２０Ｃと同様の緩衝材を設けておけば、この緩衝材に面材見付け面部１３２が当接する位置まで障子１０を回動させればよく、面材見付け面部１３２と折曲面部２３との隙間間隔が確保できる。また、係止面部２４の見つけ方向内側面に緩衝材を設けておいてもよく、これにより係止面部２４と面材見込み面部１３１との摺接による面材見込み面部１３１への傷付きも防止することができる。
【００２２】
次に、図４に示すように、段付ビス２０Ｂの上方から規制部材２０Ａを下降させ、段付部２７を係止溝２５の一対の傾斜面２５１間に受け入れてから一対の案内面２５２間に挿通させて係止部２５３に段付部２７を係止する。この際、障子１０の閉鎖位置が多少見込み方向にずれていたとしても、傾斜面２５１間に段付部２７を受け入れることで、傾斜面２５１によって段付ビス２０Ｂを案内して障子１０を所定の閉鎖位置に引き寄せることができる。以上のようにして規制部材２０Ａを段付ビス２０Ｂに係止させることで、図２に示すように、障子１０が閉鎖状態に維持され、屋外側への開放移動が規制され、この規制状態で工場等から建設現場に搬送された外倒し窓１が開口部に建て込まれ、その後に開閉操作部品が取り付けられてから規制部材２０Ａが取り外される。
【００２３】
外倒し窓１から規制部材２０Ａを取り外す手順としては、上述の取付手順と逆の手順であり、規制部材２０Ａを上昇させて段付ビス２０Ｂから係止溝２５を離脱させてから障子１０を開放し、規制部材２０Ａを見付け方向内側に移動させ、枠見付け面部５２から引き抜いて規制部材２０Ａを取り外せばよい。なお、段付ビス２０Ｂは、工具等を用いて面材見付け面部１３２との螺合を解除して取り外してもよいし、外倒し窓１の通常使用に問題とならなければ取り外さずに縦框１３に残置させてもよい。
【００２４】
以上のような本実施形態によれば、外倒し窓１の屋内側から規制部材２０Ａを縦枠５の枠見付け面部５２に取り付け、障子１０を閉鎖状態としてから規制部材２０Ａを下降させ、その係止溝２５で段付ビス２０Ｂを係止するだけで障子１０の開放移動を規制することができる。一方、屋内側から規制部材２０Ａを上昇させて係止溝２５と段付ビス２０Ｂとの係止を外し、障子１０を開放して縦枠５から規制部材２０Ａを取り外すだけで障子１０の規制を解除することができる。従って、外倒し窓１の屋内側から規制部材２０Ａの取り付け作業および取外し作業の両作業を実施することができ、作業効率を飛躍的に向上させることができる。
【００２５】
〔第２実施形態〕
次に、本発明の第２実施形態に係る建具としての外開き窓１Ａに閉鎖維持装置２０を設けた例を図５および図６に基づいて説明する。
本実施形態の外開き窓１Ａは、障子１０の開閉形式が第１実施形態の外倒し窓１と相違している以外は、略同様の窓枠２および障子１０を備えて構成されている。
すなわち、外開き窓１Ａにおける障子１０は、図５中左側の縦框１３が丁番等を介して縦枠５に支持されるか、または上框１１および下框１２がヒンジやリンク等を介して上枠３および下枠４に支持され、上下に延びる回動軸回りに屋外側に回動自在に窓枠２に支持されている。従って、障子１０は、図５中右側の縦框１３が縦枠５から離れるように屋外側に向かって開放され、これらの縦框１３と縦枠５とが接近する方向に回動して閉鎖されるようになっている。
【００２６】
外開き窓１Ａにおいて、上枠（枠材）３は、見込み方向に沿った枠見込み面部３１と、この枠見込み面部３１から見付け方向内側（図６の下側）に延びる枠見付け面部３２とを有して形成され、枠見付け面部３２の下端部屋外側に形成された気密材保持部３３には、障子１０の上框１１に当接可能な気密材３Ａが保持されている。一方、上框１１は、アルミ形材製の上框本体１１Ａと、この上框本体１１Ａに係合してガラスパネル１４を保持する押縁１１Ｂとを有し上框本体１１Ａは、障子１０の閉鎖状態において、枠見込み面部３１の見付け方向内側（下側）に対向する面材見込み面部１１１と、気密材３Ａに当接して枠見付け面部３２に屋外側から対向する面材見付け面部１１２とを有して形成されている。なお、ここでは説明を省略するが、下枠４および下框１２も上枠３および上框１１と略同様の構造を有して形成されている。
【００２７】
閉鎖維持装置２０の規制部材２０Ａは、障子１０の戸先側（図５の右側）における上下２箇所に設けられ、上枠３と上框１１とを係止し、下枠４と下框１２とを係止するように設けられる。すなわち、前記規制部材２０Ａが見込み方向に沿った軸回りに９０°回転された状態で上枠３および下枠４に取り付けられ、これらの規制部材２０Ａが上框１１の面材見込み面部１１１および下框１２の面材見込み面部に固定された段付ビス２０Ｂを係止することで、障子１０の開放が規制されて閉鎖状態が維持されるようになっている。具体的には、障子１０を開放した状態において、上枠３の枠見付け面部３２に対して屋内側の下方から規制部材２０Ａを取り付け、下枠４の枠見付け面部に対して屋内側の上方から規制部材２０Ａを取り付ける。次に、障子１０を閉鎖方向に回動してから、段付ビス２０Ｂに向かって規制部材２０Ａを横方向にスライドさせ、段付部２７を係止溝２５に挿通させて規制部材２０Ａで段付ビス２０Ｂを係止することで、図６に示すように、障子１０が閉鎖状態に維持される。
このような第２実施形態の外開き窓１Ａにおいても第１実施形態と同様の効果を奏することができる。
【００２８】
なお、本発明は、前記実施形態に限定されるものではなく、本発明の目的が達成できる他の構成等を含み、以下に示すような変形等も本発明に含まれる。
例えば、前記実施形態においては、外倒し窓１および外開き窓１Ａを例示したが、本発明の建具としては、これらの窓に限らず、その他各種の開閉形式や開閉方向の窓であってもよい。具体的には、例えば、縦、横辷り出し窓や、突き出し窓などが例示できる。
【００２９】
また、前記実施形態では、閉鎖維持装置２０を障子１０の戸先側端縁（外倒し窓１では上框１１、外開き窓１Ａでは図５中右側の縦框１３）と交差して設けられる枠材（外倒し窓１では縦枠５、外開き窓１Ａでは上枠３および下枠４）と框材（外倒し窓１では縦框１３、外開き窓１Ａでは上框１１および下框１２）とに渡って設けたが、閉鎖維持装置２０の設置位置や設置箇所数は特に限定されない。すなわち、戸先側端縁と、これに対向する枠材とに渡って閉鎖維持装置２０を設けてもよいし、その他、面材の開放を規制可能な部位に設けてもよい。さらに、閉鎖維持装置２０の設置箇所数は、前記実施形態のように２箇所に限らず、１箇所でもよいし、３箇所以上でもよく、建具のサイズ等に応じて適宜に設定することができる。
【００３０】
また、前記実施形態では、閉鎖維持装置２０の規制部材２０Ａとして、金属板材から折り曲げ加工によって製作したものを用いたが、規制部材の材質や製造方法などは特に限定されず、必要とされる強度や寸法に応じて適宜な部材を選択することができる。また、被係止部として、前記実施形態では段付ビス２０Ｂを例示したが、これに限らず、被係止部を縦框や上下框などの面材見込み面部に一体に形成してもよい。具体的には、面材見込み面部に突片を形成しておき、この突片を切り欠いた部分に規制部材の係止溝を係止させる構成や、２本の突片間に規制部材の一部を挿入して係止させる構成など、面材の見込み方向の移動を規制可能な構成であれば適宜な形態を利用することができる。
【００３１】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【符号の説明】
【００３２】
１…外倒し窓（建具）、１Ａ…外開き窓（建具）、２…窓枠（枠体）、３…上枠（枠材）、４…下枠（枠材）、５…縦枠（枠材）、１０…障子（面材）、２０…閉鎖維持装置、２０Ａ…規制部材、２０Ｂ…段付ビス（被係止部）、２０Ｃ…緩衝材、２１…規制面部、２２…延出面部、２３…折曲面部、２４…係止面部、２５…係止溝、３１，５１…枠見込み面部、３２，５２…枠見付け面部、１１１，１３１…面材見込み面部、１１２，１３２…面材見付け面部。
【図１】
0005620312.tif 000002
【図２】
0005620312.tif 000003
【図３】
0005620312.tif 000004
【図４】
0005620312.tif 000005
【図５】
0005620312.tif 000006
【図６】
0005620312.tif 000007